(57)【要約】【課題】簡易な構成で効果的に断熱性を高めることが可能なサッシ、及び当該サッシを備える開口部構造を提供する。【解決手段】建物１００の開口部１０２に配置される本体枠部１０と、本体枠部１０に配置されるパネル体２０の室内側に位置する枠部材３０とを備え、枠部材３０は、追加パネル体４０を組み込むためのパネル体受け部３１を有することを特徴とする。【選択図】図１
2020165131.tif 000002
【特許請求の範囲】
【請求項１】
建物の開口部に配置される本体枠部と、前記本体枠部に配置されるパネル体の室内側に位置する枠部材とを備え、
前記枠部材は、追加パネル体を組み込むためのパネル体受け部を有することを特徴とするサッシ。
【請求項２】
前記パネル体受け部は、前記枠部材の見込み面に設けられた凹部で構成されている、請求項１に記載のサッシ。
【請求項３】
追加パネル体が配置されていない状態の前記パネル体受け部に対して装着可能な蓋部を有する、請求項１又は２に記載のサッシ。
【請求項４】
前記パネル体受け部に追加パネル体が設けられている、請求項１又は２に記載のサッシ。
【請求項５】
前記サッシは、嵌め殺し構造のガラス窓を構成する、請求項１〜４の何れか一項に記載のサッシ。
【請求項６】
前記枠部材は、前記本体枠部と内装材との間に配置されるスペーサ部材で構成されている、請求項１〜５の何れか一項に記載のサッシ。
【請求項７】
前記枠部材は、前記本体枠部に前記パネル体を取り付けるための押縁で構成されている、請求項１〜５の何れか一項に記載のサッシ。
【請求項８】
前記追加パネル体は、前記枠部材に取り付けられる押さえ部材により室内側から支持される、請求項１〜７の何れか一項に記載のサッシ。
【請求項９】
請求項１〜８の何れか一項に記載のサッシを建物の開口部に設けたことを特徴とする開口部構造。
【発明の詳細な説明】
【技術分野】
【０００１】
本発明は、建物の開口部に設けられるサッシ、及び当該サッシを備えた開口部構造に関する。
【背景技術】
【０００２】
従来、建物の窓部等の開口部構造として、建物開口部に取付けられた枠体にガラス等のパネル体を納めて固定した、所謂「嵌め殺し構造」のサッシ（建具）を用いる場合がある。
【０００３】
例えば、特許文献１には、建物の開口部に固定される本体枠部と、本体枠部に配置されるガラスと、ガラスを本体枠部に保持するための押縁とを備えたサッシが開示されている。
【先行技術文献】
【特許文献】
【０００４】
【特許文献１】特開２０１８−１２３５５８号公報
【発明の概要】
【発明が解決しようとする課題】
【０００５】
上記のようなサッシにおいて、断熱性を高める方法として、間隔をあけて配置された２枚のガラスを有するペアガラス、もしくは３枚のガラスを有するトリプルガラス等を用いる方法が知られている。このような複層ガラスを用いることで、ガラスとガラスの間に形成される中空層の働きによって効果的にサッシの断熱性を高めることができる。
【０００６】
ここで、サッシの断熱性をさらに高めようとした場合、例えば４枚以上のガラスを有する複層ガラスを形成したり、２枚もしくは３枚のガラスの間隔を大きくして中空層の厚さを大きくしたりすることが考えられる。しかしながら、その場合には、ガラス自体の製造にコストが増大してしまうのみならず、ガラスに合わせてガラスを保持する本体枠部の厚さを大きくしなければならないためにさらに本体枠部の製造に手間とコストが掛かってしまうという問題がある。
【０００７】
また、別の方法として、既存のサッシの内側に、さらに内窓サッシを設けて二重サッシ構造とすることで断熱性を高める方法もあるものの、その場合、室内空間が狭くなるという問題がある。
【０００８】
本発明は、上記課題を解決すべくなされたものであり、簡易な構成で効果的に断熱性を高めることが可能なサッシ、及び当該サッシを備える開口部構造を提供することを目的とする。
【課題を解決するための手段】
【０００９】
本発明に係るサッシは、建物の開口部に配置される本体枠部と、前記本体枠部に配置されるパネル体の室内側に位置する枠部材とを備え、
前記枠部材は、追加パネル体を組み込むためのパネル体受け部を有することを特徴とするものである。
【００１０】
なお、本発明のサッシにあっては、前記パネル体受け部は、前記枠部材の見込み面に設けられた凹部で構成されていることが好ましい。
【００１１】
また、本発明のサッシにあっては、追加パネル体が配置されていない状態の前記パネル体受け部に対して装着可能な蓋部を有することが好ましい。
【００１２】
また、本発明のサッシにあっては、前記パネル体受け部に追加パネル体が設けられていることが好ましい。
【００１３】
また、本発明のサッシにあっては、前記サッシは、嵌め殺し構造のガラス窓を構成することが好ましい。
【００１４】
また、本発明のサッシにあっては、前記枠部材は、前記本体枠部と内装材との間に配置されるスペーサ部材で構成されていることが好ましい。
【００１５】
また、本発明のサッシにあっては、前記枠部材は、前記本体枠部に前記パネル体を取り付けるための押縁で構成されていることが好ましい。
【００１６】
また、本発明のサッシにあっては、前記追加パネル体は、前記枠部材に取り付けられる押さえ部材により室内側から支持されることが好ましい。
【００１７】
また、本発明の開口部構造は、上記の何れかのサッシを建物の開口部に設けたことを特徴とするものである。
【発明の効果】
【００１８】
本発明によれば、簡易な構成で効果的に断熱性を高めることが可能なサッシ、及び当該サッシを備える開口部構造を提供することができる。
【図面の簡単な説明】
【００１９】
【図１】本発明の一実施形態としてのサッシを備える開口部構造の横断面図である。
【図２】図１の開口部構造における追加パネル体を配置していない状態を示す横断面図である。
【図３】参考例としてのサッシを備えた開口部構造の横断面図である。
【図４】本発明の他の実施形態としてのサッシを備える開口部構造の横断面図である。
【図５】図４の開口部構造における追加パネル体を配置していない状態を示す横断面図である。
【図６】参考例としてのサッシを備えた開口部構造の横断面図である。
【図７】本発明のさらに他の実施形態としてのサッシを備える開口部構造の横断面図である。
【図８】図７の開口部構造における追加パネル体を配置していない状態を示す横断面図である。
【図９】参考例としてのサッシを備えた開口部構造の横断面図である。
【図１０】本発明のさらに他の実施形態としてのサッシを備える開口部構造の横断面図である。
【図１１】図１０の開口部構造における枠部材の変形例を示す横断面図である。
【発明を実施するための形態】
【００２０】
以下、本発明の一実施形態について、図面を参照しつつ説明する。なお、各図において共通する構成には同一の符号を付している。
【００２１】
図１、２は、本実施形態のサッシ１を備える建物１００の開口部構造の横断面図を示している。図１は、追加パネル体４０が設置された状態を示しており、図２は、追加パネル体４０が設置されていない状態を示している。
【００２２】
本実施形態におけるサッシ１は、建物１００の開口部１０２に取り付けられた嵌め殺し構造（ＦＩＸ構造）の窓として構成されており、開閉しないものである。また、本例では、室内側から見て開口枠の内側に框が露出しないように構成された隠し框構造となっているが、これに限られるものではない。
【００２３】
サッシ１は、例えば建物１００の外周壁１０１の開口部１０２に固定される本体枠部１０と、本体枠部１０に配置されるパネル体２０と、パネル体２０の室内側に位置し、本体枠部１０に沿って延在する枠部材３０とを備える。枠部材３０は、ガラス等の追加パネル体４０を組み込むためのパネル体受け部３１を有する。
【００２４】
本体枠部１０は、例えば上下に位置する横枠と左右に位置する縦枠とで構成される方形状の枠体とすることができる。本体枠部１０は、例えばアルミ等の金属製もしくは樹脂製、またはそれらを組み合わせた材料からなるものとすることができるが、材質は特に限定されない。
【００２５】
本体枠部１０は、建物１００の開口部１０２の内周縁部（開口縁部）に取り付けられる窓枠である。本体枠部１０は、建物１００の躯体に対して直接、又は、接続金物等の他の部材を介して間接的に固定される。躯体に対する本体枠部１０の固定方法は特に限定されないが、例えばビス等の締結具を用いることができる。
【００２６】
本例において本体枠部１０は、その最も室外側の面１１が、建物１００の外周壁１０１を構成する外壁材１０３の室外側の表面１０４と同一平面上に位置するように配置されている。
【００２７】
パネル体２０は、厚さ方向に間隔をあけて配置された２枚のガラス板２１、２２有する複層ガラスとすることができる。２枚のガラス板２１、２２の間には中空層２３が１層形成されている。パネル体２０は、図示例に限らず、１枚のガラス板で構成される単層ガラスでもよいし、３枚以上のガラス板を有する複層ガラスでもよい。また、パネル体２０は、ガラス以外の材料からなる板状部材であってもよい。
【００２８】
パネル体２０は、本体枠部１０の内側に嵌め込まれるように配置されている。パネル体２０は、室外側を本体枠部１０によって支持され、室内側を押縁５０によって支持される。押縁５０は、パネル体２０を内側に配置した状態の本体枠部１０に対してビス等の締結具を用いて、または爪嵌合等により着脱可能に取付けられ、本体枠部１０に固定保持される。なお、押縁５０は、枠部材３０に固定保持される構成としてもよい。
【００２９】
押縁５０は、本体枠部１０の横枠及び縦枠に沿ってそれぞれ延在する横枠部及び縦枠部を有する。押縁５０は、樹脂製であることが好ましいが、これに限られず、金属製としてもよい。また、本体枠部１０には、押縁５０を配置するための押縁配置部１４が設けられている。押縁配置部１４には、例えば、押縁５０に設けた爪部等の係合部と係合する被係合部、または押縁５０をねじ止めするための雌ねじ部等を設けることができる。
【００３０】
本体枠部１０には、パネル体２０の室外側の面に当接させる気密部材１２（エアタイト材）が設けられている。気密部材１２は、本体枠部１０の内周縁部から内側に突出する支持枠部１３の室内側の面に固定保持されている。パネル体２０は、支持枠部１３によって（気密部材１２を介して）室外側から支持される。
【００３１】
押縁５０には、パネル体２０の室内側の面に当接させる気密部材５１（エアタイト材）が設けられている。気密部材５１は、押縁５０の室外側の面に固定保持されている。パネル体２０は、押縁５０によって（気密部材５１を介して）室内側から支持される。すなわち、パネル体２０は、本体枠部１０の支持枠部１３と押縁５０によって挟まれて保持されている。
【００３２】
枠部材３０は、本体枠部１０または躯体に対して直接、または、他の部材を介して間接的に取付けられる。枠部材３０は、本体枠部１０の室内側に配置される。枠部材３０は、本体枠部１０の横枠及び縦枠に沿ってそれぞれ延在する横枠部及び縦枠部を有する方形状の枠体とすることができる。本例の枠部材３０は、本体枠部１０と内装材１０５との間に設けられる樹脂製のスペーサ部材で構成されている。内装材１０５は、木製の枠とすることができ、ビス等の締結具により枠部材３０に固定される。
【００３３】
枠部材３０には、追加パネル体４０を組み込むためのパネル体受け部３１が設けられている。本例のパネル体受け部３１は、枠部材３０の見込み面３２に設けられた凹部で構成されている。
【００３４】
なお、パネル体受け部３１を有する枠部材３０は、図示例に限定されず、本体枠部１０にパネル体２０を取り付けるための押縁で構成してもよい。すなわち、本例の押縁５０と枠部材３０を一部材として形成するようにしてもよい。また、追加パネル体４０を押縁５０と枠部材３０とで挟んで保持するようにしてもよい。
【００３５】
追加パネル体４０は、枠部材３０のパネル体受け部３１に嵌め込まれるように配置され、枠部材３０に固定保持される。すなわち、追加パネル体４０もパネル体２０と同様に開閉不能な嵌め殺し構造となっている。本例の追加パネル体４０は、２枚のガラス板からなる複層ガラスであり、追加パネル体４０の周囲には、気密性を有する保持枠４１が設けられている。なお、追加パネル体４０は、複層ガラスに限らず、１枚のガラス板からなる単層ガラスとしてもよいし、ガラス以外の材料からなる１枚以上の板状部材を備えるパネル体としてもよい。
【００３６】
追加パネル体４０は、パネル体２０と平行に、且つ、パネル体２０の室内側に所定の間隔Ｄをあけて配置される。追加パネル体４０とパネル体２０との間には、中空層として機能する空間Ｓが形成される。
【００３７】
追加パネル体４０は、枠部材３０に設けられた室外側支持部３３によって室外側から支持されている。また、追加パネル体４０は、室内側を押さえ部材３４を介して室内側支持部３５によって支持されている。押さえ部材３４は、追加パネル体４０を配置した状態のパネル体受け部３１に、追加パネル体４０の室外側から嵌め込まれる。押さえ部材３４は、追加パネル体４０の保持枠４１と室内側支持部３５との間に挟まれて保持される。押さえ部材３４は枠部材３０に対して、例えば爪嵌合またはねじ止め、圧入等により取付けることができる。
【００３８】
ここで、本例では保持枠４１を設けて追加パネル体４０周囲の気密性を確保しているが、これに限られず、他の構成の気密部材を追加パネル体４０と枠部材３０との間に配置して気密性を確保するようにしてもよい。何れの場合にも、パネル体２０と追加パネル体４０との間の空間Ｓへの室内からの空気の移動を抑制することで、断熱性をより高めることができる。また、当該気密部材を設けることで、室内側から塵埃等が空間Ｓ内に侵入することをより確実に防止することができる。
【００３９】
ここで、図２は、枠部材３０に追加パネル体４０を設けない場合を示している。図２に示すように、本例のサッシ１は、追加パネル体４０が配置されていない状態の枠部材３０のパネル体受け部３１に対して装着可能な蓋部６０を有する構成とすることができる。
【００４０】
蓋部６０は、パネル体受け部３１に嵌め込まれており、蓋部６０を取り外すことで、追加パネル体４０を配置することができる。蓋部６０は、枠部材３０の見込み面３２と同一平面上に位置する平坦面６１を有する。これにより、追加パネル体４０が配置されていない状態の枠部材３０のパネル体受け部３１を目立ち難くすることができるとともに、パネル体受け部３１に塵埃等が侵入することを防止することができる。
【００４１】
なお、図３は、図１、２のパネル体受け部３１を設けていない枠部材１３０を備えるサッシ１’を例示している。図３に示す枠部材１３０を、図１、２に示す枠部材３０等のパネル体受け部を有する枠部材に代えることで、容易に追加パネル体４０を組み込み可能なサッシ１を形成することができる。
【００４２】
以上の通り、本実施形態のサッシ１にあっては、本体枠部１０の室内側に位置する枠部材３０にパネル体受け部３１を設けて追加パネル体４０を組み込み可能な構成としている。このような構成とすることで、本体枠部１０の構造を変えずにガラス等の追加パネル体４０をパネル体２０の室内側に追加することができるので、簡易な構成で効果的に建物１００の開口部１０２の断熱性を高めることができる。
【００４３】
また、本実施形態のサッシ１にあっては、パネル体２０と追加パネル体４０との間に空間Ｓが形成されるため、パネル体２０のみを有するサッシと比較して断熱性を十分に高めることができる。また、パネル体受け部３１を有する枠部材３０を用いたことにより、本体枠部１０にパネル体２０に実質的な変更を加えることなく、断熱性の高いサッシ１を形成することができる。
【００４４】
また、本実施形態のサッシ１にあっては、枠部材３０の見込み面３２に設けられた凹部でパネル体受け部３１を構成しているため、追加パネル体４０を支持する室外側支持部３３及び室内側支持部３５を外部から目立ち難くすることができる。すなわち、所謂隠し框構造を形成し易くなる。
【００４５】
ここで、一例としての建物１００の全体構成について説明する。建物１００は、例えば、鉄骨造の骨組みを有する２階建ての住宅とすることができる。また、建物１００は、地盤に固定された基礎構造体と、当該基礎構造体上に固定される上部構造体と、で構成される。
【００４６】
基礎構造体は、上部構造体の下側に位置し、その骨組みを支持するものであり、例えば、鉄筋コンクリート造の断面Ｔ字状の布基礎とすることができる。上部構造体は、複数の柱と、柱間に架設された複数の梁とで構成される骨組み（躯体）と、この躯体の外周側に配置される外壁と、躯体を構成する梁上に配置される各階の床及び屋根と、を備える構成とすることができる。なお、骨組みを構成する部材は、予め規格化（標準化）され、予め工場にて製造されたのち建築現場に搬入されて組み立てられるものとすることができる。
【００４７】
建物１００は、建物１００の外周を取り囲む外壁（外周壁１０１）を備え、外壁は、例えば軽量気泡コンクリート（ＡＬＣ）等からなる複数のパネル状の外壁材１０３が連接して配置されることにより構成される。
【００４８】
以下、本発明の他の実施形態について説明する。なお、上述した実施形態と基本的な機能が同一である部分は、図中、同一の符号を付して説明を省略する。
【００４９】
図４、５は、本発明の他の実施形態に係るサッシ２を備える建物２００の開口部構造の横断面図を示している。図４は、追加パネル体４０が設置された状態を示しており、図５は、追加パネル体４０が設置されていない状態を示している。
【００５０】
図４に示すサッシ２は、パネル体受け部２５２を有する枠部材としての押縁２５０を備える。本例のパネル体受け部２５２は、押縁２５０の見込み面２５３に設けられた凹部で構成されている。パネル体受部２５２には、気密性を有する保持枠４１で囲まれた追加パネル体４０が設置されている。
【００５１】
またサッシ２は、本体枠部１０と内装材１０５との間に設けられるスペーサ部材２３０を備える。スペーサ部材２３０は、本体枠部１０または躯体に対して直接、または、他の部材を介して間接的に取付けられる。押縁２５０は、本体枠部１０または枠部材２３０に対して固定されている。
【００５２】
図５に示すように、本例のサッシ２は、追加パネル体４０が配置されていない状態のパネル体受け部２５２に対して装着可能な蓋部６０を有する構成とすることができる。蓋部６０は、パネル体受け部２５２に嵌め込まれており、蓋部６０を取り外すことで、追加パネル体４０を配置することができる。
【００５３】
なお、図６は、図４、５のパネル体受け部２５２を設けていない押縁２５１を備えるサッシ２’を例示している。図６に示す押縁２５１を、図４、５に示す押縁２５０に代えることで、容易に追加パネル体４０を組み込み可能なサッシ２を形成することができる。
【００５４】
図７、８は、本発明のさらに他の実施形態に係るサッシ３を備える建物３００の開口部構造の横断面図を示している。図７は、追加パネル体４０が設置された状態を示しており、図８は、追加パネル体４０が設置されていない状態を示している。
【００５５】
図７、８に示すサッシ３は、図１、２に示すサッシ１における押縁５０と枠部材３０を一体に形成し、単一の枠部材３３０としたものである。図７に示すように、枠部材３３０に設けられたパネル体受け部３１に追加パネル体４０を組み込むことができ、また、図８に示すように、追加パネル体４０を取り外した状態のパネル体受け部３１には蓋部６０を取り付けることができる。
【００５６】
なお、図９は、図７、８のパネル体受け部３１を設けていない枠部材３３１を備えるサッシ３’を例示している。図６に示す押縁２５１を、図７、８に示す枠部材３３０に代えることで、容易に追加パネル体４０を組み込み可能なサッシ３を形成することができる。
【００５７】
図１０、１１は、本発明のさらに他の実施形態に係るサッシ４を備える建物４００の開口部構造の横断面図を示している。図１０、１１は、追加パネル体４０が設置された状態を示している。
【００５８】
図１０、１１に示すサッシ４は、図６に示す押縁２５１と同一の押縁４５０と、押縁４５０の見込み面４５１に固定された枠部材４５２とを備えている。また、サッシ４は、本体枠部１０と内装材１０５との間に設けられるスペーサ部材４３０を備える。枠部材４５２の見込み面４５３には、パネル体受け部４５４が設けられている。パネル体受け部４５４には、気密性を有する保持枠４１で囲まれた追加パネル体４０が設置されている。なお、追加パネル体４０を取り外した状態のパネル体受け部４５４には、図２、５に示す蓋部６０と同様の蓋部を取り付けることができる。
【００５９】
図１１に示す枠部材４５５は、図１０に示す枠部材４５２の変形例である。図１１に示すように、枠部材４５５は、傾斜板部４５６を有する。傾斜板部４５６は、枠部材４５５の見込み面４５３における室内側の端部から、スペーサ部材４３０の見込み面３２まで斜めに延在している。このような傾斜板部４５６を設けることで、室内側から見た際に枠部材４５５が目立ち難くなり、意匠性を高めることができる。
【００６０】
本発明は、上述した実施形態の構成に限定されるものではなく、特許請求の範囲で記載された内容を逸脱しない範囲で、様々な構成により実現することが可能である。例えば、上記実施形態では、追加パネル体４０を室外側から支持する室外側支持部３３が枠部材３０に設けられているが、押縁５０の室内側側面で追加パネル体４０を室外側から支持する構成としてもよい。またその場合、追加パネル体４０の室内側に配置される他の押さえ部材により追加パネル体４０を室内側から支持する構成とすることができる。このような構成により、押縁５０の構造を単純化することができる。
【００６１】
また、本体枠部１０、枠部材３０、及び押縁５０の断面形状は図示例に限らず、適宜変更可能である。また、本発明のサッシ１及び開口部構造は、建物１００の外周壁１０１の開口部１０２に限らず、建物内部の界壁等の開口部にも適用可能である。
【符号の説明】
【００６２】
１、２、３、４：サッシ
１０：本体枠部
１１：室外側の面
１２：気密部材
１３：支持枠部
１４：押縁配置部
２０：パネル体
２１、２２：ガラス板
２３：中空層
３０：枠部材
３１：パネル体受け部
３２：見込み面
３３：室外側支持部
３４：押さえ部材
３５：室内側支持部
４０：追加パネル体
４１：保持枠
５０：押縁
５１：気密部材
６０：蓋部
１００、２００、３００、４００：建物
１０１：外周壁
１０２：開口部
１０３：外壁材
１０４：室外側の表面
１０５：内装材
２３０：スペーサ部材
２５０：押縁（枠部材）
２５１：押縁
２５２：パネル体受け部
２５３：見込み面
３３０：枠部材
３３１：枠部材
４３０：スペーサ部材
４５０：押縁
４５１：見込み面
４５２：枠部材
４５３：見込み面
４５４：パネル体受け部
４５５：枠部材
４５６：傾斜板部
Ｄ：パネル体と追加パネル体との間隔
Ｓ：空間
【図１】
2020165131.tif 000003
【図２】
2020165131.tif 000004
【図３】
2020165131.tif 000005
【図４】
2020165131.tif 000006
【図５】
2020165131.tif 000007
【図６】
2020165131.tif 000008
【図７】
2020165131.tif 000009
【図８】
2020165131.tif 000010
【図９】
2020165131.tif 000011
【図１０】
2020165131.tif 000012
【図１１】
2020165131.tif 000013